(57)【要約】【課題】  特色などを用いて色置換して二色刷りなどのシミュレーション出力を行ったときに、置換色を容易にかつ的確に特定可能とする。【解決手段】  色置換が設定された印刷ジョブに対する画像処理を行うときには、色置換が指定されているプロセスカラーと置換色を色置換情報として抽出し、抽出した色置換情報に基づいて色置換情報画像を生成し、この色置換情報画像の描画命令を作成する（ステップ１００〜１０４）。この後、１ページ分の画像処理が終了するごとに、描画命令に基づいて画像合成を行う（ステップ１０６〜１１０）。これにより、印刷物には、色置換情報が明確に記録され、Ｎ色印刷シミュレーションの効率化を図ることができる。【選択図】        図５
2005064833.tif 000002
【特許請求の範囲】
【請求項１】
画像処理端末から入力される画像データ又は描画データに対して画像処理を行う画像処理方法であって、前記画像データ又は描画データ上のプロセスカラーの何れかに対して色置換及び置換色が設定されているときに、設定された前記色置換を実行すると共に、色置換が設定された前記プロセスカラー及び置換色を色置換情報として抽出し、抽出した前記色置換情報に基づいて、前記色置換が設定されているプロセスカラー及び前記置換色を特定可能とする色置換情報画像を生成し、前記色置換された前記画像データ又は描画データに基づいた画像に前記色置換情報画像を合成することを特徴とする画像処理方法。
【請求項２】
画像処理端末から入力される画像データ又は描画データに対する画像処理を行う画像処理装置であって、
前記画像データ又は描画データ上のプロセスカラーの何れかに対して置換色と共に色置換が設定されているときに、該設定に基づいた置換処理をおこなう置換手段と、
色置換が設定された前記プロセスカラー及び前記置換色を色置換情報として抽出する抽出手段と、
前記抽出手段によって抽出した色置換情報に基づいて置換される前記プロセスカラー及び前記置換色を特定可能とする色置換情報画像を生成する情報画像生成手段と、
前記置換手段によって色置換された画像に前記色置換情報画像を合成する合成手段と、
を含むことを特徴とする画像処理装置。
【請求項３】
前記合成手段が、前記画像データ又は描画データに基づいた画像を印刷出力装置によって記録紙に形成したときに、該画像領域外に前記色置換情報画像を合成することを特徴とする請求項２に記載の画像処理装置。
【請求項４】
前記情報画像生成手段によって生成される前記色置換情報画像が、前記プロセスカラーと前記置換色を示す文字列を含むことを特徴とする請求項２又は請求項３に記載の画像処理装置。
【請求項５】
前記情報画像生成手段によって生成される前記色置換情報画像が、少なくとも前記置換色によって形成したカラーパッチを含むことを特徴とする請求項２から請求項４の何れか１項に記載の画像処理装置。
【発明の詳細な説明】
【技術分野】
【０００１】
本発明は、多色印刷用の画像データに応じた画像を記録紙に形成する出力装置へ画像データを出力するときの画像処理方法及び画像処理装置に関する。
【背景技術】
【０００２】
印刷処理の分野におけるデジタル化として、ＤＴＰ（Desktop Publishing）化が浸透している。ＤＴＰは、パーソナルコンピュータやワークステーション等の処理装置上で、画像の作成、加工、編集等を行うことによりページレイアウトを作成し、このページレイアウトに基づいて印刷版を露光するためのフィルムの作成を行ったり（ＣＥＰＳ）、印刷版に直接書き込んで印刷用の刷版を作成する（ＣＴＰ：Computer to Plate）。
【０００３】
一方、実際の刷版を用いた印刷に先立って校正等を行うときには、ＷＹＳＩＷＹＧ機能等を用いて、モニタに表示したページレイアウトを、ページプリンタ等の印刷出力装置によって印刷出力する。
【０００４】
また、通常のカラー印刷では、シアン、マゼンタ、イエロー及びブラックの４色（プロセスカラー）を用いて行われるが、必要に応じてプロセスカラーと異なる色（以下、「特色」とする）のインクを使用して行われることがある。
【０００５】
一方、印刷コストを抑えるために、２色印刷が行われることがある。このとき、プロセスカラーの中の１色と特色が用いられたり、２色を特色とすることにより、特殊効果を得るようにすることがある。
【０００６】
ところで、２色印刷用の出力データをクライアントコンピュータ上で作成する際に特色を使用しようとしても、現状のＤＴＰ用のアプリケーション上では、特色と特色又は特色とプロセスカラーの掛け合わせを指定することができない。このために、２色印刷用のデータは、プロセスカラーの２色を使用してフィルム出力するのが一般的となっている。
【０００７】
プロセスカラーを使用すれば色の掛け合わせも容易に指定することができるが、通常の画像処理装置に出力したときに、プロセスカラーでの出力しか得られないため、実際の印刷物がどのような仕上がりになるのかを明確に確認することが困難となっていた。
【０００８】
そこで、通常の画像処理装置上で、二色刷りのシミュレーション出力を実現する方法として、ＣＭＹＫのマネージメント機能に、２色印刷用の特別なプロファイルを適用する方法が提案されている（例えば、特許文献１参照。）。
【０００９】
この提案では、二色印刷で使用する予定の特色インクを使用して実際に刷版を用いてカラーチャートの印刷を行い、このカラーチャートを測定することにより特色用のプロファイル（ＣＭＹＫ−Ｌ*ａ*ｂ*のルックアップテーブル）を作成し、この特色用のプロファイルと、プリンタ用のプロファイル（Ｌ*ａ*ｂ*−Ｃ’Ｍ’Ｙ’Ｋ’のルックアップテーブル）を使用して、カラーマネージメント機能を用いたＣＭＹＫ−Ｃ’Ｍ’Ｙ’Ｋ’変換を実現することにより特色印刷のシミュレーションを行うようにしている。
【００１０】
また、特願２００３−７１４８４号では、置換するプロセスカラーの画素ごとの色情報を、置換色のＣＭＹＫ値に置き換えることにより、特色を用いた二色刷りシミュレーションを行うように提案している。
【００１１】
一方、特色などを用いた２色刷りシミュレーションを出力するときには、置換色を変更しながら印刷出力し、出力結果から好みの色や色の組み合わせを選択する使用方法も想定される。
【００１２】
しかしながら、色置換を行った場合、出力された印刷物上（出力結果）からは、置換元の色は勿論、置換色の判別も困難であるという問題がある。
【特許文献１】特開２０００−６２２５３号公報
【発明の開示】
【発明が解決しようとする課題】
【００１３】
本発明は上記事実に鑑みてなされたものであり、特色などを用いて色置換して二色刷りなどのシミュレーション出力を行ったときに、置換色を容易にかつ的確に特定可能な印刷物を得ることができる画像処理方法及び画像処理装置を提案することを目的とする。
【課題を解決するための手段】
【００１４】
上記目的を達成するために本発明は、画像処理端末から入力される画像データ又は描画データに対して画像処理を行う画像処理方法であって、前記画像データ又は描画データ上のプロセスカラーの何れかに対して色置換及び置換色が設定されているときに、設定された前記色置換を実行すると共に、色置換が設定された前記プロセスカラー及び置換色を色置換情報として抽出し、抽出した前記色置換情報に基づいて、前記色置換が設定されているプロセスカラー及び前記置換色を特定可能とする色置換情報画像を生成し、前記色置換された前記画像データ又は描画データに基づいた画像に前記色置換情報画像を合成することを特徴とする。
【００１５】
この発明によれば、プロセスカラーに色置換が設定されている時に、該当するプロセスカラーを設定されている置換色に置換する。これにより、特色などを用いた印刷シミュレーションが可能となっている。
【００１６】
このとき、色置換が設定されているプロセスカラー及び置換色を含む色置換情報を抽出し、この色置換情報に基づいて、プロセスカラー及び置換色を特定可能とする色置換情報画像を生成し、この色置換情報画像を、色置換された画像に合成する。
【００１７】
これにより、特色などを用いた印刷シミュレーションを行ったときに、置換されたプロセスカラー及び置換色を明確に判断することが可能となる。
【００１８】
このような本発明は、画像処理端末から入力される画像データ又は描画データに対する画像処理を行う画像処理装置であって、前記画像データ又は描画データ上のプロセスカラーの何れかに対して置換色と共に色置換が設定されているときに、該設定に基づいた置換処理をおこなう置換手段と、色置換が設定された前記プロセスカラー及び前記置換色を色置換情報として抽出する抽出手段と、前記抽出手段によって抽出した色置換情報に基づいて置換される前記プロセスカラー及び前記置換色を特定可能とする色置換情報画像を生成する情報画像生成手段と、前記置換手段によって色置換された画像に前記色置換情報画像を合成する合成手段と、を含む画像処理装置によって達成することができる。
【００１９】
色置換情報画像に文字列を含む時には、この文字列を黒色となるように色置換情報画像を形成してもよく、黒色に替えて置換色を用いてもよい。また、これに限らず、文字列は、任意のプロセスカラーを用いることもできる。
【００２０】
また、色置換情報画像にカラーパッチを用いる時には、カラーパッチのみで形成してもよく、文字列とカラーパッチの組み合わせによって形成してもよい。
【００２１】
さらに、本発明の画像処理装置は、前記合成手段が、前記画像データ又は描画データに基づいた画像を印刷出力装置によって記録紙に形成したときに、該画像領域外に前記色置換情報画像を合成することを特徴とする。
【００２２】
この発明によれば、画像データ又は描画データに色置換情報画像が重なることがないので、画像データ又は描画データに基づいた画像と共に色置換情報画像が明確となる。
【００２３】
このような本発明が適用される画像処理装置は、前記情報画像生成手段によって生成される前記色置換情報画像が、前記プロセスカラーと前記置換色を示す文字列を含むことができ、また、前記情報画像生成手段によって生成される前記色置換情報画像が、少なくとも前記置換色によって形成したカラーパッチを含むことができる。
【００２４】
また、本発明の画像処理装置に適用する抽出手段は、置換手段の色置換に色補正用プロファイルが用いられるときに、この色補正プロファイルのルックアップテーブルから置換されるプロセスカラー及び置換色を抽出することができる。また、置換色がＬ＊ａ＊ｂ＊値によって設定されているときには、特色としてこのＬ＊ａ＊ｂ＊値を用いてもよく、また、Ｌ＊ａ＊ｂ＊値に対する特色名の対応表を設けることにより、Ｌ＊ａ＊ｂ＊値から特色名を検索するようにしてもよい。
【発明の効果】
【００２５】
以上説明したように本発明によれば、二色印刷シミュレーションなどを行ったときにも、印刷出力上で置換されたプロセスカラーと置換色が明確になる。これにより、色置換を行った多色印刷シミュレーションの作業を効率的に行うことができるという優れた効果が得られる。
【発明を実施するための最良の形態】
【００２６】
以下、図面を参照しながら本発明の実施の形態を説明する。図１には、本実施の形態に適用したネットワーク１０の概略構成を示している。このネットワーク１０は、本発明を適用した画像処理装置として設けられているプリントサーバ１２と、画像処理端末として設けられている複数のクライアント端末１４とが、通信回線１６を介してネットワーク接続されている。
【００２７】
また、プリントサーバ１２には、印刷出力装置（ＩＯＴ）としてプリンタ１８が接続されており、プリントサーバ１２は、クライアント端末１４から出力される印刷ジョブを受信すると、この印刷ジョブに応じた印刷出力を実行する。
【００２８】
なお、以下では、画像処理装置をプリントサーバとして用いて説明するが、本発明の画像処理装置は、これに限らずクライアント端末１４とネットワーク接続されたファイルサーバ等の各種の中間サーバに設けて画像処理を行なうものであっても良い。また、プリンタ１８に限らず、印刷用の刷版を作成するために画像データに基づいて感光性平版印刷版等を直接露光するプレートセッターや、感光性平版印刷版への画像焼付（露光）に用いる原稿フィルムを露光する露光装置等を接続することもできる。
【００２９】
図２に示すように、プリントサーバ１２及びクライアント端末１４には、ネットワークインターフェイス（ネットワークＩ／Ｆ）２０、２２が設けられており、このネットワークＩ／Ｆ２０、２２を介してそれぞれが通信回線１６に接続している。また、プリントサーバ１２は、双方向インターフェイス（双方向Ｉ／Ｆ）２４を備えており、この双方向Ｉ／Ｆ２４を介してプリンタ１８に接続している。なお、プリントサーバ１２は、複数台のプリンタ１８が接続されていても良い。
【００３０】
このようなプリントサーバ１２は、パーソナルコンピュータ（ＰＣ）に所定の機能を備えたＰＣＩボードを追加するなどして構成することができる。また、プリントサーバ１２は、キーボード、マウス等の入力デバイスやＣＲＴディスプレイやＬＣＤディスプレイ等の表示デバイスを備えており、表示デバイスに表示した画像に対する処理及び表示画像を印刷出力するＷＹＳＩＷＹＧ機能を備えたものであっても良い。
【００３１】
プリントサーバ１２には、プリンタ１８を制御するプリントコントローラ２６と共に画像処理部２８が設けられている。画像処理部２８は、クライアント端末１４から印刷ジョブとして入力される画像データや描画データなどのジョブデータに基づいてラスタデータを生成するＲＩＰ処理を行なう。
【００３２】
また、プリントサーバ１２では、入力された印刷ジョブを処理待ちキューに格納すると共に、処理待ちキューに格納している印刷ジョブを順に読み出して、画像処理（ＲＩＰ処理）を実行し、画像処理されてプリンタ１８へ出力されるデータ（ラスタデータ）を印刷待ちキューに格納して、この印刷待ちキューからプリンタ１８へ順に出力する。また、プリントサーバ１２では、印刷処理が指定されていないか印刷処理の実行ができないジョブを保持キューに格納して保持する一般的構成となっている。なお、このようなプリントサーバ１２は、従来公知の種々の構成を用いることができ、本実施の形態では、詳細な説明を省略する。
【００３３】
一方、クライアント端末１４は、各種のアプリケーション３０を備えており、アプリケーション３０を用いて、画像や文書の作成、加工、編集等の画像処理や文書作成等を行い、刷版印刷用の印刷データの作成が可能となっている。また、クライアント端末１４は、作成した画像データ又は描画データと各種の処理指示とを印刷ジョブとしてプリントサーバ１２へ送信可能となっている。
【００３４】
プリントサーバ１２は、この印刷ジョブを受信すると、この印刷ジョブに対して指定された画像処理を施してプリンタ１８へ出力し、印刷ジョブに応じた印刷物が得られるようにしている。
【００３５】
また、プリントサーバ１２には、印刷機能設定部３２が設けられており、印刷ジョブ等のジョブを受信すると、印刷ジョブで指定されている各種の印刷機能の設定を行う。なお、プリントサーバ１２では、従来公知の印刷機能の設定が可能となっており、印刷機能設定部３２では、印刷ジョブで指定されている印刷機能を判断し、それぞれの印刷機能が画像処理部２８及びプリンタコントローラ２６で実行されるように設定するが、本実施の形態では、詳細な説明を省略する。
【００３６】
ところで、プリントサーバ１２には、色置換処理部３４が設けられている。この色置換処理部３４では、色指定されている画像や文字等の描画オブジェクトに対して、指定色の置き換えが設定されているときに、設定に基づいて色置換を行う。
【００３７】
また、プリントサーバ１２には、ＨＤＤ３６が設けられている。プリントサーバ１２では、シアン（Ｃ）、マゼンタ（Ｍ）、イエロー（Ｙ）、ブラック（Ｋ）のプロセスカラーと別に、予め複数の特色が設定されており、ＨＤ３６には、設定されている特色ごとのＣＭＹＫ値がテーブル化されて記憶されている。
【００３８】
色置換処理部３４では、プロセスカラーの何れかが、特色への色置換が指定されていると、ＨＤＤ３６に記憶されているＣＭＹＫ値をルックアップテーブル（ＬＵＴ）として参照して、ＣＭＹＫ値の設定して色情報を更新するようにしている。すなわち、色置換が指定された色を除いたＣＭＹＫ値に特色のＣＭＹＫ値を合成することにより、新たなＣＭＹＫ値の色情報を生成する。
【００３９】
これにより、例えばプロセスカラーのうちの何れか２色を用いて２色印刷印刷用の画像データや文書データを作成したときに、さらに、そのうちの１色又は２色を、プロセスカラーとは異なる特色を用いて印刷出力することができるようにしている。
【００４０】
すなわち、刷版を用いて印刷出力するときに、プロセスカラーと異なるインクを用いた印刷処理を行ったときのシミュレーションが可能となるようにしている。
【００４１】
なお、画像処理部２８の図示しないメモリ上にＣＭＹＫ出力用領域と、ＣＭＹＫ色補正用領域を設け、印刷ジョブ上の画像（画像オブジェクト）に対する画像処理を行うとき、特色のＣＭＹＫ値をＣＭＹＫ出力用領域に格納し、また、該当する画像オブジェクト上で使用されるプロセスカラーのＣＭＹＫ値を、ＣＭＹＫ色補正用領域に格納し、ＣＭＹＫ色補正領域に格納しているＣＭＹＫ値に対して色補正を行った後に、補正したＣＭＹＫ値をＣＭＹＫ出力用領域に格納しているＣＭＹＫ値に合成することにより、該当する描画オブジェクトの色情報を生成して出力するなどの構成を適用することができる。
【００４２】
これにより、画像処理部２８では、特色を用いてＮ色印刷シミュレーションを行うときにも、色置換を施していないＣＭＹＫ値に対する色補正が可能となる。
【００４３】
一方、クライアント端末１４のそれぞれには、プリントサーバ１２に設けられている各種の印刷機能の設定を行うためのドライバソフト４０（プリンタドライバ）が組み込まれており、クライアント端末１４では、アプリケーション３０によって作成した画像データや描画命令に対する印刷処理等の依頼を行うときに、ドライバソフト４０を用いることにより、プリントサーバ１２に設けられている各種の印刷機能の設定を行うことができるようになっている。
【００４４】
このドライバソフト４０には、プリントサーバ１２の機能として備えているＮ色印刷シミュレーションの設定が可能となっている。
【００４５】
図３（Ａ）には、ドライバソフト４０によってクライアント端末１４の図示しないモニタに表示されるユーザインターフェイスとして表示される設定ダイアログ４２の一例を示している。この設定ダイアログ４２では、チェックボックス４４をチェックすることにより、Ｎ色印刷シミュレーションを行うか否かの指定が可能となる。すなわち、１色印刷シミュレーション（Ｎ＝１）〜４色印刷シミュレーション（Ｎ＝４）の設定が可能となっている。
【００４６】
Ｎ色印刷シミュレーションを行うときには、シアン、マゼンタ、イエロー及びブラックのプロセスカラーのそれぞれに対して、印刷出力するか否か及び印刷出力するときに置換する色の指定を、コンボボックス４６Ａ、４６Ｂ、４６Ｃ、４６Ｄ上で選択して指定することができる。
【００４７】
このコンボボックス４６Ａ〜４６Ｄでは、プルダウンメニューによってＣＭＹＫの各プロセスカラー及びプリントサーバ１２で設定されている各特色のリストが表示され、印刷出力しないかリスト内の何れかの色に指定することができ、何れかの色に指定することにより、プリントサーバ１２上で該当する色が印刷出力されるように色置換が行われる。
【００４８】
また、指定する色（置換色）としては、特色名だけではなく、ＣＭＹＫ値を意味する文字列を入力できるようにしても良い。例えば、「＝Ｃ１０Ｍ２０Ｙ３０Ｋ４０」とした形式などで受けつけ、この場合には、シアン１０％、マゼンタ２０％、イエロー３０％、ブラック４０％の色に置換する。
【００４９】
なお、設定ダイアログ４２上では、シアン、マゼンタの各色に対して、予め設定されている特色１、特色２に置換して２色印刷を行うように指定した例を示している。
【００５０】
このようなユーザインターフェイスとしては、例えば、図３（Ｂ）に示す設定ダイアログ４８を用いることもできる。この設定ダイアログ４８では、Ｎ色印刷シミュレーションの指定を省略して、プロセスカラーの各色のそれぞれに対して、印刷出力を行うか否かを設定するチェックボックス５０Ａ、５０Ｂ、５０Ｃ、５０Ｄと置換色をしているコンボボックス５２Ａ、５２Ｂ、５２Ｃ、５２Ｄが設けられている。なお、設定ダイアログ４８では、一例として、シアンを特色１、及びマゼンタを特色２に色置換して、二色印刷シミュレーションを行うように設定した例を示している。
【００５１】
なお、このユーザインターフェイスは、クライアント端末１４のみならず、プリントサーバ１２で指定するものであっても良い。このときには、クライアント端末１４から送信された印刷ジョブを選択して、図示しないモニタに設定ダイアログ４２、４８等のユーザインターフェイスを表示して行うようにすれば良い。
【００５２】
一方、図２に示すように、プリントサーバ１２には、色置換情報生成部３８が設けられている。色置換情報生成部３８は、色置換が設定されているときに、色置換情報から置換元の色及び置換色を視認可能とする色置換情報画像６０（図４参照）を生成する。
【００５３】
画像処理部２８では、画像データ又は描画データに基づいて形成される画像上の所定位置に、色情報生成部３８で生成した色置換情報画像６０を合成する。
【００５４】
これにより、図４に示すように、プリンタ１８からは、記録紙６２に、印刷ジョブに応じた画像６４と共に、所定位置に色置換情報画像６０が形成されたＮ色印刷シミュレーションの印刷物６６が出力される。なお、図４に示す色置換情報画像６０では、一例としてシアン（Ｃ）を特色１に置換し、マゼンタ（Ｍ）を特色２に置換したことを記述している。
【００５５】
このような色置換情報画像６０を形成する位置としては、画像６４と重ならないことが好ましく、これにより、印刷物６６に形成する画像を損ねることなく、置換元の色及び置換色を明確にすることができる。なお、図４に示す色置換情報画像６０は、一例として文字列によってＣ版を特色１に、Ｍ版を特色２に置換したことを明示している。
【００５６】
ここで、本実施の形態の作用としてプリントサーバ１２およびクライアント端末１４によってＮ色印刷シミュレーションを行うときの処理の概略を説明する。
【００５７】
ネットワーク１０では、クライアント端末１４で、アプリケーション３０を用いて作成、加工、編集等の処理が行われた画像データないし描画命令が印刷ジョブとしてプリントサーバ１２へ出力される。このとき、クライアント端末１４では、ドライバソフト４０を用いてＮ色印刷シミュレーションを指定することができる。また、Ｎ色印刷シミュレーションを行うときには、置換色の指定を合わせて行う。なお、設定ダイアログ４２では、シアンからマゼンタへの置換等のプロセスカラーの間での色置換も可能となっている。
【００５８】
一方、プリントサーバ１２では、クライアント端末１４から出力されたジョブを受信すると、このジョブが印刷ジョブであると、印刷機能設定部３２で、印刷機能の読み込み及び設定を行う。また、画像処理部２８では、印刷ジョブの画像データ又は描画命令からラスタデータを作成するＲＩＰ処理を行う。
【００５９】
画像処理部２８で生成されたラスタデータは、所定のタイミングでプリンタ１８へ出力される。これにより、プリンタ１８は、印刷ジョブの画像データ又は描画命令に基づいた印刷出力を行う。
【００６０】
ところで、プリントサーバ１２では、Ｎ色印刷シミュレーションが指定されることにより、ＣＭＹＫのプロセスカラーのそれぞれを指定されている色への色置換を行う。これと共に、プリントサーバ１２では、色置換情報生成部３８で、色置換情報に基づいて色置換情報画像６０を生成し、この色置換情報画像を印刷ジョブの画像に合成する。
【００６１】
図５には、画像処理部２８で実行される画像処理の概略を示している。このフローチャートは、印刷機能設定部３２で二色刷りなどのＮ色印刷シミュレーションが設定されていることにより実行され、最初のステップ１００では、印刷ジョブ上の色置換情報から元となるプロセスカラー名と、置換色を抽出する。
【００６２】
次のステップ１０２では、抽出した色置換情報に基づいて色置換情報画像６０の画像データを生成し、この画像データを印刷ジョブの画像データに合成する描画命令を作成する（ステップ１０４）。
【００６３】
このとき、色置換情報画像６０に対する描画命令としては、置換色としてブラック（Ｋ）が指定されることが殆どないので、ブラック（Ｋ）で描画されるように描画命令を生成する。
【００６４】
なお、色置換情報画像６０を文字列で形成した時には、ブラック（Ｋ）に限らず、置換が設定されているプロセスカラーで描画するように設定するようにしてもよい。このとき、シアンが特色１、マゼンタが特色２に設定されているときには、特色１又は特色２の何れか一方を用いてもよく、また、「Ｃ版＝特色１」を特色１で描画し、「Ｍ版＝特色２」を特色２で描画するなどしてもよい。
【００６５】
この後、ステップ１０６では、印刷ジョブの画像データに対する画像処理を行い、ステップ１０８では、１ページ分の画像処理が終了したか否かを確認する。
【００６６】
ここで、印刷ジョブに対する画像処理を行う時には、Ｎ色印刷シミュレーションの設定に基づいた画像処理、すなわち、色置換処理が合わせて行われる。
【００６７】
プリントサーバ１２では、プリンタ１８へ出力するためのコンポジット出力の処理と、印刷用の刷版を作成するための分版出力の合成処理が可能となっている。また、プリントサーバ１２などの画像処理装置では、描画オブジェクトのＣＭＹＫ値を新たにＣＭＹＫ値に変換するカラーマネージメントシステム（ＣＭＳ）を備えた構成が一般的となっており、コンポジット出力の処理を行うときには、このＣＭＳを使用することができる。
【００６８】
ＣＭＳを用いる時には、ＨＤＤ３６に特色ごとのＣＭＹＫ値を示すＬＵＴを記憶しておき、変換元となるプロセスカラーの画素ごとに、置換色となる特色のＣＭＹＫ値に変換し、変換後のＣＭＹＫ値を画素ごとに合成することにより、色置換後の画像のＣ、Ｍ、Ｙ、Ｋの各色のデータを得る。
【００６９】
また、特色のＣＭＹＫ値の変換は、例えば、特色の１００％濃度のＬ*ａ*ｂ*値を、ＨＤＤ３６に記憶して、このＬ*ａ*Ｂ*値を用いてＣＭＹＫ値変換を行うようにしても良い。
【００７０】
さらに、特色へのＣＭＹＫ値の変換は、例えば、特色ごとに、０〜２５５までの濃度段階ごとにＣＭＹＫ値を算出しておいて、このＣＭＹＫ値を、該当する画素の濃度に合わせてＨＤＤ３６から読み出すようにしても良い。
【００７１】
このように、コンポジット出力を行うときには、ラスタライズ中にＣＭＳを実行させることにより、描画オブジェクトごとにＣＭＹＫ値の置き換え（色置換）を実行することができる。また、コンポジット出力の場合は、ラスタライズされたラスタデータに対して、ＣＭＳを実行することにより色置換を行うようにしても良い。
【００７２】
分版出力を行うときには、画像データ又は描画データが、シアン、マゼンタ、イエロー、ブラックに分解されて出力されるのでラスタライズ中にＣＭＳを実行させることができないために、ラスタライズによって生成されたラスタデータに対してＣＭＳを実行させればよい。
【００７３】
一方、１ページ分の画像処理が終了すると、ステップ１０８で肯定判定されてステップ１１０へ移行する。このステップ１１０では、前記したステップ１０４で生成した描画命令に基づいて、１ページ分の画像と共に色置換情報画像６０が形成されるように画像合成を行う。また、ステップ１１２では、処理中の印刷ジョブの全てのページに対する画像処理が終了したか否か確認し、肯定判定されることにより、該当する印刷ジョブに対する画像処理を終了する。
【００７４】
このようにして画像処理されることにより生成されたラスターデータが、プリンタ１８へ出力されることにより、画像６４と共に色置換情報画像６０が形成された印刷物６６（記録紙６２）が得られる。
【００７５】
この印刷物６６には、色置換情報画像６０が形成されているので、置換元のプロセスカラー及び置換色が明確になる。
【００７６】
一方、ステップ１００で実行する色置換情報の抽出は、色置換方法に応じて行われるものであればよい。
【００７７】
例えば、クライアント端末１４に設けているドライバソフト４０で色置換及び置換色を設定している時には、この設定に基づいてプリントサーバ１２が色置換を実行する。
【００７８】
このときには、例えば、図６に示すように、描画命令７０中に、色置換が設定されているプロセスカラーと、置換色が色置換情報として含まれる。
【００７９】
この描画命令７０では、コメント文中の「False」によって出力しないことが指示される。ここから、イエロー（Ｙ）及びブラック（Ｋ）に対しては、印刷出力が実行されないことになる。
【００８０】
また、コメント文で「％PrintOption：2CPressSimCPlate  True」でシアン色の出力が設定され、「％PrintOption：2CPressSimCSpot  "特色１"」で、シアン（C）を特色１に置き換える指示がなされていることになる。
【００８１】
このよう描画命令７０から、シアンを特色１に、マゼンタを特色２に置換する色置換情報と共に、２色印刷シミュレーションの命令を抽出することができる。
【００８２】
このように、色置換情報としては、コメント文中の「CPressSimCPlate」等をキーワードとして抽出することができる。
【００８３】
また、置換するプロセスカラーにだけ、変換後の色成分を割り当て、置換を行わないプロセスカラーにはダミーデータを割り当てるカラープロファイルを用いて、色置換を行うように設定されることがある。
【００８４】
このときには、カラープロファイルは、Ｃ、M、Ｙ、Ｋのそれぞれの入力に対する一次元のルックアップテーブルと、ＣＭＹＫ値とＬ＊ａ＊ｂ＊値の対応を示した四次元から三次元へのルックアップテーブルに構成されるが一般的である。
【００８５】
このような色置換用カラープロファイルには、使用されない一次元のルックアップテーブルは、出力が必ず「０」となる特別なルックアップテーブルが設定されている。
【００８６】
ここから、一次元ルックアップテーブルを用いて使用しているプロセスカラーを抽出した後、各プロセスカラーが設定されている色（置換色）を抽出する。また、カラープロファイルには、設定されているＬ＊ａ＊ｂ＊値を四次元から三次元に変換するルックアップテーブルが含まれており、このルックアップテーブルから置換色を抽出することができる。
【００８７】
このようにして抽出した置換色のＬ＊ａ＊ｂ＊値に対応する特色名を、対応表として予め記憶しておくことにより、この対応表から色置換情報画像６０を生成することができる。
【００８８】
また、記録紙６２に形成する色置換情報は、色置換情報画像６０に限らず、置換色のＬ＊ａ＊ｂ＊値を用いることができる。
【００８９】
例えば、置換色のＬ＊ａ＊ｂ＊値が、Ｌ＊＝６５、ａ＊＝−２８、ｂ＊＝−２８であった時には、置換色として「Ｌ＊ａ＊ｂ＊＝（６５、−２８、−２８）」等の文字列を用いてあらわしてもよい。
【００９０】
一方、色置換情報画像としては、文字列に限らず、カラーパッチを用いてもよい。図７には、カラーパッチを用いた一例とする色置換情報画像６８を示している。この色置換情報画像６８では、置換色を示す「特色１」の文字列及び「特色２」の文字列のあとに、特色１のカラーパッチ６８Ａ及び特色２のカラーパッチ６８Ｂを描画している。
【００９１】
このような色置換情報画像を用いることにより、置換色がより明確となり、多数の置換色を用いて印刷シミュレーションを行ったときにも、所望の色の組み合わせを的確に選択することができ、また、そのときの置換色を明確に識別することができる。
【００９２】
なお、色置換情報画像としては、色置換情報画像６０などの文字列のみや、色置換情報画像６８などの文字列とカラーパッチ（カラーパッチ６８Ａ、６８Ｂ）の組み合わせに限らず、置換元のプロセスカラーと置換色のそれぞれをカラーパッチで表示するなどの任意の構成を適用することができる。
【００９３】
また、色置換情報画像としては、コメント文としてプロセスカラーと置換色が明確となるように印字するなど、プロセスカラーと置換色が明確になるものであれば、任意の構成を適用することができる。
【００９４】
なお、以上説明した本実施の形態は、本発明の構成を限定するもものではない。例えば、本実施の形態では、クライアント端末１４から印刷ジョブとしてプリントサーバ１２に入力された画像データ又は描画データに対する処理を説明したが、本発明は、これに限るものではなく、プリントサーバ１２や中間サーバ等で、Ｎ色印刷用データ又はＮ色印刷シミュレーション用のデータの生成を行うものであっても良い。
【００９５】
また、本実施の形態では、ネットワーク１０のプリントサーバ１２に本発明を適用して説明したが、本発明はこれに限るものではなく、ネットワークに接続されている任意の構成の画像処理装置に適用することができる。
【図面の簡単な説明】
【００９６】
【図１】本実施の形態に適用したプリントサーバが設けられるネットワークの概略構成図である。
【図２】本実施の形態に適用したプリントサーバの概略構成図である。
【図３】（Ａ）及び（Ｂ）は色置換の設定に適用可能なユーザーインターフェイスを示す概略図である。
【図４】印刷物に形成される色置換情報画像の一例を示す概略図である。
【図５】本発明に係る画像処理の概略を示す流れ図である。
【図６】色置換を設定する描画命令の一例を示す概略図である。
【図７】印刷物に形成される色置換情報画像の他の一例を示す概略図である。
【符号の説明】
【００９７】
１０    ネットワーク
１２    プリントサーバ（画像処理装置）
１４    クライアント端末（画像処理端末）
１８    プリンタ（印刷出力装置）
２６    プリントコントローラ
２８    画像処理部
３２    印刷機能設定部
３４    色置換処理部（色置換手段）
３８    色置換情報生成部
４２、４８    設定ダイアログ
６０、６８    色置換情報画像
６８Ａ、６８Ｂ    カラーパッチ
【図１】
2005064833.tif 000003
【図２】
2005064833.tif 000004
【図３】
2005064833.tif 000005
【図４】
2005064833.tif 000006
【図５】
2005064833.tif 000007
【図６】
2005064833.tif 000008
【図７】
2005064833.tif 000009